(57)【要約】      （修正有）【課題】薄型でありながら、開口部を開きやすくすることができる財布を提供する。【解決手段】財布は、第１面、第２面、及び当該各面の間に形成される内部空間を有するとともに、第１，第２，第３，及び第４辺１４がこの順で形成された外形を有し、さらに、第１辺１３またはその近傍に沿って形成され、内部空間にアクセス可能な開口部１５を有する、本体部１と、本体部の内部空間に配置された板状の仕切り部材と、を備え、仕切り部材は、少なくとも本体部の第２辺１２に固定されるとともに、第３辺１１には固定されておらず、内部空間において、第３辺との間に隙間を有するように構成されている。【選択図】図５
2017023424.tif 000002
【特許請求の範囲】
【請求項１】
第１面、第２面、及び当該各面の間に形成される内部空間を有するとともに、第１，第２，第３，及び第４辺がこの順で形成された外形を有し、さらに、前記第１辺またはその近傍に沿って形成され、前記内部空間にアクセス可能な開口部を有する、本体部と、
前記本体部の内部空間に配置された板状の仕切り部材と、
を備え、
前記仕切り部材は、少なくとも前記本体部の前記第２辺に固定されるとともに、前記第３辺には固定されておらず、前記内部空間において、前記第３辺との間に隙間を有するように構成されている、財布。
【請求項２】
前記仕切り部材は、前記本体部の第２辺にのみ固定されている、請求項１に記載の財布。
【請求項３】
前記仕切り部材の少なくとも一方の面に、前記第１辺側に開口する袋状の収容部材が設けられている、請求項１または２に記載の財布。
【請求項４】
前記収容部材は、前記第３辺に沿って延びる部分の一部のみが前記仕切り部材に固定されている、請求項３に記載の財布。
【請求項５】
前記開口部の一端部が前記本体部の第３辺に連結されるとともに、当該第３辺において、前記第１面と第２面とを連結するマチ部をさらに備えている、請求項１から４のいずれかに記載の財布。
【請求項６】
前記開口部は、前記第１面または第２面において、前記第１辺の近傍に形成されている、請求項１から５のいずれかに記載の財布。
【発明の詳細な説明】
【技術分野】
【０００１】
本発明は、財布に関する。
【背景技術】
【０００２】
従来より、種々の財布が提案されており、例えば、特許文献１のような財布が提案されている。例えば、特許文献１に係る財布では、内部に仕切り部材が設けられるとともに、財布の両側にマチ部が設けられている。
【先行技術文献】
【特許文献】
【０００３】
【特許文献１】実用新案登録第３１７７９０１号公報
【発明の開示】
【発明が解決しようとする課題】
【０００４】
一般的に、財布は薄型が好まれるところ、上記のようなマチ部を両側に設けると、全体として厚みが大きくなる。しかしながら、マチ部を設けなかったり、あるいは一方にのみしかマチ部を設けないと、財布の開口部が開きにくくなるという問題がある。本発明は、上記問題を解決するためになされたものであり、薄型でありながら、開口部を開きやすくすることができる財布を提供することを目的とする。
【課題を解決するための手段】
【０００５】
本発明に係る財布は、第１面、第２面、及び当該各面の間に形成される内部空間を有するとともに、第１，第２，第３，及び第４辺がこの順で形成された外形を有し、さらに、前記第１辺またはその近傍に沿って形成され、前記内部空間にアクセス可能な開口部を有する、本体部と、前記本体部の内部空間に配置された板状の仕切り部材と、を備え、前記仕切り部材は、少なくとも前記本体部の前記第２辺に固定されるとともに、前記第３辺には固定されておらず、前記内部空間において、前記第３辺との間に隙間を有するように構成されている。
【０００６】
この構成によれば、仕切り部材が、本体部の内部空間において、第３辺との間に隙間を形成するように構成されている。そのため、第１辺側に形成されている開口部を開くとき、つまり、第１面及び第２面を離間すると、これら第１面と第２面との連結部分である本体部の第３辺を第１辺側に移動させることができる。その結果、第１面及び第２面が離間すると、これに伴って第３辺が第１辺側に移動するため、開口部をより開きやすくすることができる。これに対して、例えば、仕切り部材が第３辺に固定されていると、第１面及び第２面を離間して開口部を開くとき、第３辺が仕切り部材に引っ掛かり、第１辺側には移動しない。そのため、第１面と第２面とが開きにくくなる。よって、本発明によれば、主として第１面と第２面とで構成された薄型の財布であっても、開口部を開きやすくすることができる。
【０００７】
上記財布において、前記仕切り部材は、前記本体部の第２辺にのみ固定することかできる。
【０００８】
この構成によれば、仕切り部材が第２辺にしか固定されていないため、仕切り部材を第２辺を中心として、第１面側または第２面側に簡単に揺動させることができる。これにより、仕切り部材の内部空間での移動の自由度が高くなり、内容物を容易に取り出すことができる。例えば、仕切り部材と第１面との間、または仕切り部材と第２面との間に紙幣などの内容物を入れている場合、仕切り部材を第１面側また第２面側に簡単に移動させて、内容物を取り出すことができる。
【０００９】
上記各財布においては、前記仕切り部材の少なくとも一方の面に、前記第１辺側に開口する袋状の収容部材を設けることができる。
【００１０】
この構成によれば、仕切り部材に収容部材が設けられているため、収容部材の位置を適宜変更することができる。例えば、収容部材を開口部側に配置すると、収容部材にコインを入れたときに、開口部からコインを取り出しやすくなる。また、収容部材を開口部側から離すと、開口部から離れる方向に長いカードなどを収容することができる。
【００１１】
上記財布において、前記収容部材は、前記第３辺に沿って延びる部分の一部のみが前記仕切り部材に固定することができる。これにより、収容部材の開口を開きやすくすることができる。
【００１２】
上記各財布では、前記開口部の一端部が前記本体部の第３辺に連結されるとともに、当該第３辺において、前記第１面と第２面とを連結するマチ部をさらに備えることができる。
【００１３】
このようにマチ部を設けると、第３辺において、第１面と第２面とをさらに離間させることができ、これによって、第３辺に連結された開口部をさらに開きやすくすることができる。
【００１４】
上記各財布では、前記開口部を、前記第１面または第２面において、前記第１辺の近傍に形成することができる。
【００１５】
例えば、第１辺に開口部を設けると、この開口部を閉じるためのファスナーなどにより、第１辺に厚みが必要になり、全体として財布の厚みが大きくなる。これに対して、第１面または第２面に開口部を設けると、ファスナーは、これらの面上に配置されるため、財布の厚みを薄くすることができる。
【００１６】
第２の本発明に係る財布は、第１面、第２面、及び当該各面の間に形成される内部空間を有するとともに、第１，第２，第３，及び第４辺がこの順で形成された外形を有し、さらに、前記第１辺またはその近傍に沿って形成され、前記内部空間にアクセス可能な開口部を有する、本体部と、
前記本体部の内部空間に配置された板状の仕切り部材と、
前記仕切り部材の少なくとも一方の面に設けられ、前記第１辺側に開口する袋状の収容部材と、
を備えている。
【００１７】
この構成によれば、収容部材を適宜所望の位置に配置することができる。この場合、仕切り部材は、本体部の第１〜第４辺の少なくとも一つに固定することができる。
【００１８】
第２の発明に係る財布において、前記仕切り部材は、少なくとも前記本体部の前記第２辺に固定されるとともに、前記第３辺には固定されておらず、前記内部空間において、前記第３辺との間に隙間を有するように構成することができる。
【発明の効果】
【００１９】
本発明に係る財布によれば、薄型でありながら、開口部を開きやすくすることができる。
【図面の簡単な説明】
【００２０】
【図１】本発明の一実施形態に係る財布の正面図である。
【図２】図１の背面図である。
【図３】図１の財布の開口部を開いた状態の平面図である。
【図４】、図３の財布を左辺部から見た図である。
【図５】図１の財布の使用方法を説明する図である。
【図６】仕切り部材と収容部材の関係を示す平面図である。
【発明を実施するための形態】
【００２１】
＜１．財布の構造＞
以下、本発明に係る財布の一実施形態について図面を参照しつつ説明する。図１は、本実施形態に係る財布の正面図、図２は図１の背面図である。以下では説明の便宜のため、図１の上下左右方向にしたがって財布の向きを定義する。また、図１の紙面の手前側を表、奥側を裏と称することとする。但し、本発明に係る財布はこの向きに限定されるものではない。
【００２２】
図１及び図２に示すように、本実施形態に係る財布は、全体として左右方向に延びるように、平面視矩形状に形成されており、シート材を２つ折りに形成した本体部１と、この本体部の端部に取付けられるマチ部２と、折り畳まれたシート材の間に配置される板状の仕切り部材３と、この仕切り部材３の各面にそれぞれ固定される第１及び第２収容部材４，５と、を備えている。以下、各部について説明する。
【００２３】
＜１−１．本体部及びマチ部＞
次に、本体部及びマチ部について、図３及び図４も参照しつつ説明する。図３は、図１の財布の開口部を開いた状態の平面図であり、図４は、図３の財布を左辺部から見た図である。但し、図３においては後述するジッパーを省略している。図１〜図４に示すように、本体部１の下辺部１１は、シート材の折り目となっており、折り畳まれたシート材の右辺部１２と上辺部１３が、縫製によって固定されている。したがって、折り畳まれたシート材の左辺部１４同士は固定されていない。
【００２４】
本体部１の表面１０１の上端付近には、左右方向に延びる切込み１５が形成されている。この切込み１５は、本体部１の左辺部１４の上端部から、上辺部１３に沿って左右方向に延び、右辺部１２の手前まで延びている。すなわち、切込み１５の左端部は開放しており、さらに、上記のように、シート材の左辺部１４同士が固定されていないため、本体部１の表面１０１は、切込み１５よりも下側の領域（以下、下側領域１６という）が、開くようになっている。これにより、切込み１５が開口部となるように、本体部１の表面１０１の下側領域１６は、本体部１の裏面１０２から離すことができる。
【００２５】
また、図３及び図４に示すように、下側領域１６の左辺部１４と、これに対応する本体部１の裏面１０２の左辺部１４との間には、シート材により形成されたマチ部２が取付けられている。マチ部２は、頂点が下方を向くように配置された一対の三角形状のマチ片２１，２２が一体的に連結されたものである。すなわち、各マチ片２１，２２の一方の斜辺同士が折り目２３として連結されるとともに、各マチ片２１，２２の他方の斜辺は、下側領域１６及び本体部１の裏面１０２にそれぞれ縫製によって固定されている。そして、下側領域１６と本体部１の裏面１０２とが接触しているときには（開いていないとき）、両マチ片２１，２２が重ね合わされた状態で、本体部１の中に収容される。このとき、折り畳まれたマチ部２は、上端部が右側に突出し、下端にいくにしたがって突出長さが短くなっている。一方、下側領域１６を本体部１の裏面１０２から離間させたときには、折り畳まれた両マチ片２１，２２が開き、両マチ片２１，２２が概ね平坦状になるまで、下側領域１６が本体部１の裏面１０２から離間する。すなわち、マチ部２によって、下側領域１６が本体部１の裏面１０２から離間する距離が規制されるようになっている。
【００２６】
さらに、図１に示すように、上述した切込み１５には、ジッパー６が取付けられている。すなわち、ジッパー６が閉じた状態では、スライダ６１及び引き手６２が切込み１５の左端部に位置するようになっており、引き手６２を右側に引っ張ってスライダ６１を右側に移動させると、ジッパー６が開き、下側領域１６を本体部１の裏面１０２から離間させることができる。
【００２７】
なお、本体部１及びマチ部２を構成する材料は、特には限定されず、樹脂製、革製など種々のシート材で構成することができる。また、そのようなシート材を複数重ね合わせたものを用いることもできる。例えば、本体部１の外部を向く面と、内部を向く面とでシート材の材料を変えることができる。
【００２８】
＜１−２．仕切り部材＞
次に、仕切り部材３について説明する。図１〜図３に示すように、仕切り部材３は、本体部１の内部に配置され、矩形状に形成されている。但し、仕切り部材３の右辺部は、本体部１の右辺部１２に固定されている。すなわち、仕切り部材３の右辺部が、本体部１を構成するシート材の右辺部１２に挟まれ、この右辺部１２に縫製によって、仕切り部材３の右辺部が固定されている。一方、仕切り部材３の左辺部３１は、マチ部２の折り目２３との間に隙間を形成するようになっており、マチ部２の折り目２３と対応するように、下方にいくにしたがって、左側に突出するように傾斜している。
【００２９】
また、仕切り部材３の下辺部３２は、本体部１の下辺部１１からやや隙間Ｓ（例えば、１ｍｍ以上）を空けるように配置されている。一方、仕切り部材３の上辺部３３は、開口部（切込み）１５よりもやや下方に位置するように配置されている。
【００３０】
なお、仕切り部材３を構成する材料も、特には限定されず、樹脂製、革製など種々のシート材で構成することができる。但し、仕切り部材３は、第１及び第２収容部材４，５を支持するため、厚手の材料で形成されることが好ましく、例えば、複数のシート材を重ねたものとすることができる。
【００３１】
＜１−３．第１収容部材＞
次に、第１収容部材４について説明する。図１及び図３に示すように、第１収容部材４は、シート材を２つ折りにすることで矩形状に形成されている。より詳細に説明すると、この第１収容部材４は、シート材の折り目が下辺部４１を構成し、左辺部４２同士及び右辺部４３同士を縫製により固定したものである。したがって、上辺部４４が開放して互いに離間可能となっており、これによって、表面４０１と裏面４０２との間の空間にコインやカードなどを収容可能となっている。
【００３２】
また、第１収容部材４の裏面４０２の上辺部４４の中央付近が、仕切り部材３の上辺部３３に縫製４５によって固定されている。すなわち、第１収容部材４の上辺部４４と，仕切り部材３の上辺部３３とが一致するように固定されている。また、第１収容部材４の左右の長さは、特には限定されないが、本体部１の右辺部１２とマチ部２との間で延びるような長さであればよい。なお、第１収容部材４を構成する材料も、特には限定されず、樹脂製、革製など種々のシート材で構成することができる。この点は、次に説明する第２収容部材５も同じである。
【００３３】
＜１−４．第２収容部材＞
次に、第１収容部材４について説明する。図２及び図３に示すように、第２収容部材５も、第１収容部材４と同様に、シート材を２つ折りにすることで矩形状に形成されている。すなわち、シート材の折り目が下辺部５１を構成し、左辺部５２同士及び右辺部５３同士を縫製により固定したものである。したがって、上辺部５４が開放して互いに離間可能となっており、これによって、表面５０１と裏面５０２との間の空間にコインやカードなどを収容可能となっている。
【００３４】
また、第２収容部材５の表面５０１の上辺部５４の中央付近が、仕切り部材３の上辺部３３よりやや下方に縫製５５によって固定されている。すなわち、第２収容部材５の上辺部５４は、第１収容部材４の上辺部４４よりも下方に位置している。また、第２収容部材５の左右の長さは、特には限定されないが、第１収容部材４と同様に、本体部１の右辺部１２とマチ部２との間で延びるような長さであればよい。
【００３５】
＜２．特徴＞
上記のように構成された財布は、以下の特徴を有する。
（１）仕切り部材３が、本体部１の内部空間において、下辺部１１との間に隙間Ｓを形成するように構成されている。そのため、図５に示すように、上辺部１３側に形成されている開口部を開くとき、つまり、下側領域１６と裏面１０２とを離間すると、これらの連結部分である本体部１の下辺部１１を上辺部１３側、つまり上側に移動させることができる。その結果、下側領域１６と裏面１０２とが離間すると、これに伴って下辺部１１が上側に移動するため、開口部１５をより開きやすくすることができる。これに対して、例えば、仕切り部材３が下辺部１１に固定されていると、下側領域１６と裏面１０２とを離間して開口部１５を開くとき、下辺部が仕切り部材３に引っ掛かり、上側には移動しない。そのため、下側領域１６と裏面１０２とが開きにくくなる。したがって、本実施形態のような薄型の財布であっても、開口部１５を開きやすくすることができる。
【００３６】
（２）本実施形態では、仕切り部材３が右辺部１２にしか固定されていないため、図３に示すように、仕切り部材３を右辺部１２を中心として、表面側または裏面側に簡単に揺動させることができる。これにより、仕切り部材３の内部空間での移動の自由度が高くなり、内容物を容易に取り出すことができる。例えば、仕切り部材３と表面１０１との間、または仕切り部材３と裏面１０２との間に紙幣などの内容物を入れている場合、仕切り部材３を表面側また裏面側に簡単に移動させて、内容物を取り出すことができる。
【００３７】
（３）各収容部材４，５が，本体部１ではなく、仕切り部材３に取付けられているため、これらの位置を適宜変更することができる。例えば、第１収容部材４のように、開口部１５側に配置すると、第１収容部材４の下辺部４１が上方に位置するため、第１収容部材４にコインを入れたときに、開口部１５からコインを取り出しやすくなる。また、第２収容部材５のように、開口部１５側から離すと、第２収容部材５の下辺部５１が上方に位置するため、開口部１５から離れる方向に長いカードなどを収容することができる。このように、各収容部材４，５は、用途に応じて、仕切り部材３の任意の位置に取付けることができる。
【００３８】
（４）第１収容部材４の裏面４０２及び第２収容部材５の表面５０１の開口周縁の一部のみが、仕切り部材３に固定されている。これにより、図６（ａ）に示すように、収容部材４，５の開口を開きやすくすることができる。一方、図６（ｂ）に示すように、収容部材４，５の開口の全体が仕切り部材３に固定されていると、開口が開きにくくなる。
【００３９】
（５）例えば、本体部１の上辺部１３に開口部を設けると、この開口部を閉じるためのジッパーなどにより、上辺部１３に厚みが必要になり、全体として財布の厚みが大きくなる。これに対して、本実施形態のように、表面１０１または裏面１０２に開口部を設けると、ジッパーは、これらの面上に配置されるため、財布の厚みを薄くすることができる。
【００４０】
＜３．変形例＞
以上、本発明の一実施形態について説明したが、本発明はこれに限定されるものではなく、その趣旨を逸脱しない限りにおいて種々の変更が可能である。なお、以下の変形例は、適宜組み合わせることができる。
【００４１】
＜３−１＞
上記実施形態では、仕切り部材３の両面に収容部材４，５を設けているが、収容部材は仕切り部材３の片側のみに設けることもでき、あるいは設けないこともできる。また、仕切り部材３と収容部材４，５とを一体的に形成することもできる。すなわち、仕切り部材３の表面に切込みを形成して袋状にし、物品を収容可能とすることができる。
【００４２】
＜３−２＞
ジッパー６を、必ずしも本体部１の表面１０１に設ける必要はなく、多少、財布の厚みは大きくなるものの、上辺部１３に設けることもできる。
【００４３】
＜３−３＞
上記実施形態では、本体部１の左辺部１４にマチ部を設けているが、必ずしも設ける必要はない。
【００４４】
＜３−４＞
上記実施形態では、本体部１の右辺部１２に仕切り部材３を固定し、左辺部１４にマチ部２を設けているが、これを反対にすることもできる。また、仕切り部材３の左辺部３１も本体部１に固定することもできる。
【００４５】
＜３−５＞
上記実施形態では、本体部１を矩形状に形成しているが、必ずしも矩形状でなくてもよい。各辺部１１〜１４を湾曲させ、丸みを帯びた形状にすることできる。
【００４６】
＜３−６＞
上記実施形態では、各収容部材４，５の開口周縁を左右方向に沿って一部のみ，仕切り部材３に固定しているが、例えば、開口周縁の左右方向の長さの１／５以上が固定されていればよい。
【００４７】
＜３−７＞
上記実施形態では、各部材を縫製によって固定しているが、接着剤など種々の固定方法を適用することができる。また、本体部を２枚のシート材を重ね合わせることで形成することもできる。
【符号の説明】
【００４８】
１  本体部
１１  下辺部（第３辺）
１２  右辺部（第２辺）
１３  上辺部（第１辺）
１４  左辺部（第４辺）
１５  開口部
１０１  表面（第１面）
１０２  裏面（第２面）
２  マチ部
３  仕切り部材
４  第１収容部材
５  第２収容部材
【図１】
2017023424.tif 000003
【図２】
2017023424.tif 000004
【図３】
2017023424.tif 000005
【図４】
2017023424.tif 000006
【図５】
2017023424.tif 000007
【図６】
2017023424.tif 000008